(57)【特許請求の範囲】
【請求項１】
外耳道の欠損部分を再建するための再建部材であって、前記再建部材が厚さ方向に複数の貫通孔を有する、セラミックスを含む組成物を成型し、焼成することによって形成された、気孔率が２％以上４０％以下の薄片状成形体であり、前記再建部材が埋入される場合に、前記貫通孔の開口部がある面が前記欠損部分に接するように埋入されることを特徴とする再建部材。
【請求項２】
外耳道および鼓膜の欠損部分を再建するための再建部材であって、前記再建部材が厚さ方向に複数の貫通孔を有する、セラミックスを含む組成物を成型し、焼成することによって形成された、気孔率が２％以上４０％以下の薄片状成形体であり、かつ前記再建部材の一方の端部が折曲しており、前記再建部材が埋入される場合に、前記折曲された端部を鼓膜側に向け、前記貫通孔の開口部がある面を前記外耳道および鼓膜の欠損部分に接するように埋入されることを特徴とする再建部材。
【請求項３】
前記セラミックスの主成分がリン酸カルシウムである請求項１または２に記載の再建部材。
【請求項４】
前記成形体の貫通孔内に充填材が配置されている、請求項１〜３のいずれか１項記載の再建部材。
【請求項５】
前記充填材が骨形成因子を含んでなる、請求項４に記載の再建部材。
【請求項６】
前記成形体の貫通孔開口部を有する面の少なくとも一方に皮膜が形成されている、請求項１〜５のいずれか１項記載の再建部材。
【請求項７】
前記皮膜に骨形成因子が配合されている、請求項６に記載の再建部材。
【発明の詳細な説明】
【技術分野】
【０００１】
本発明は、外耳道の一部と鼓膜とを再建するための再建部材に関するものである。
【背景技術】
【０００２】
中耳手術においては、視野や操作スペースを確保するために、外耳道の一部だけでなく中耳腔まで削除することがある。あるいは病傷害などにより外耳道の一部と鼓膜が損傷を受けることがある。これらの理由のために外耳道または鼓膜が欠損した場合にはそれらを再建する必要が生ずる。
【０００３】
ここでこれらの欠損部位を再建するための部材としては、皮膚、骨部外耳道を含む側頭骨、軟骨部外耳道、皮下軟部組織、および粘膜の５種類の組織からなる外耳道、ならびに鼓膜というそれぞれ異なる組織と生着させることのできる部材が必要となる。このような要求に応えるために、軟骨板などの自家材料やハイドロキシアパタイトなどの人工材料が検討されている。しかし、採取が困難であったり、早期吸収による変形あるいは組織との親和性に改善の余地があり、さらに異物反応が起こりえる。この異物反応とは、生体に再建部材を埋入したときに、生体がそれを異物として組織外に排出しようとする反応である。この異物反応を解消するために、コラーゲンと骨形成因子との組成物からなる成形品を再建部材として用いることが知られている（特許文献１参照）。この特許文献によれば、そのような成形品は、組織親和性に優れ、異物反応の出現もない良好な外耳道および鼓膜再建用の部材となるのである。
【先行技術文献】
【特許文献】
【０００４】
【特許文献１】特開２００７−１２５２５２号公報
【発明の概要】
【発明が解決しようとする課題】
【０００５】
しかしながら、本発明者らの検討によれば、上記成形品は成形体としての強度に改良の余地があった。そのため手術時の取扱いが困難であり、また生体に埋入した時に変形する可能性があった。またこれまで外耳道と鼓膜とを同時に、任意の形状に成形しながら再建する方法は見出されていなかった。
【課題を解決するための手段】
【０００６】
本発明による再建部材は、外耳道または鼓膜の欠損部分を再建するためのものであって、前記再建部材が厚さ方向に複数の貫通孔を有する、セラミックスからなる薄片状成形体であり、前記再建部材が埋入される場合に、前記貫通孔の開口部がある面が前記欠損部分に接するように埋入されることを特徴とするものである。
【０００７】
本発明による別の再建部材は、外耳道および鼓膜の欠損部分を再建するためのものであって、前記再建部材が厚さ方向に複数の貫通孔を有する、セラミックスからなる薄片状成形体であり、かつ前記再建部材の一方の端部が折曲しており、前記再建部材が埋入される場合に、前記折曲された端部を鼓膜側に向け、前記貫通孔の開口部がある面を前記外耳道欠損部分に接するように埋入されることを特徴とするものである。
【発明の効果】
【０００８】
本発明による再建部材は、セラミックスからなるので強度が高く、そのため手術時の取扱いが容易となり、埋入後の変形はほとんど生じない。さらに複数の貫通孔が設けられているため、その貫通孔に細胞等が進入、固着して、安定した外耳道または鼓膜を再建することができる。
【図面の簡単な説明】
【０００９】
【図１】本発明の一実施態様による再建部材を示す斜視図である。
【図２】本発明の他の実施態様による再建部材を示す断面図である。
【図３】本発明のさらに他の実施態様による再建部材を示す斜視図である。
【図４】本発明による再建部材の埋入状態の一例を示す概念断面図である。
【図５】本発明による再建部材の埋入状態の別の一例を示す概念断面図である。
【図６】実施例４による再建部材の破断面の電子顕微鏡写真である。
【図７】実施例５による再建部材の破断面の電子顕微鏡写真である。
【図８】実施例６による再建部材の破断面の電子顕微鏡写真である。
【図９】実施例７による再建部材の破断面の電子顕微鏡写真である。
【図１０】実施例８による再建部材の破断面の電子顕微鏡写真である。
【図１１】実施例９による再建部材の破断面の電子顕微鏡写真である。
【発明を実施するための形態】
【００１０】
本発明による再建部材を図面に沿って説明すると以下のとおりである。
【００１１】
図１は、本発明の一実施態様である再建部材１を示す斜視図である。本発明の再建部材１は、セラミックスからなる薄片状成形体２からなり、この成形体２の厚み方向に複数の貫通孔３が形成されている。
【００１２】
本発明において、セラミックスからなる成形体２は、薄片状であればその外形形状は任意であるが、再建しようとする外耳道などの形態に沿うような形状であることが好ましい。すなわち、本発明による再建部材は一般的には直方体状または板状とされるが、外耳道の内側曲面に合わせた湾曲した形状なども好ましい。また、円盤状などの形状であってもよい。また、再建部材の大きさは、適用しようとする動物の種類などに応じて適切に決められる。例えば、ヒトの外耳道および鼓膜の再建に用いられる場合、再建部材の厚みは子供から大人までの外耳道の厚み以下であることが好ましく、たとえば０．５〜５ｍｍ、特には１〜３ｍｍの範囲が好適である。また、幅および長さは治療しようとする部位に応じて決められるが、幅は一般に２．０〜１５．０ｍｍ、好ましくは３．０〜１０．０ｍｍであり、長さは一般に２．０〜２５．０ｍｍ、好ましくは３．０〜２０．０ｍｍである。
【００１３】
また、本発明による再建部材１には厚み方向に、複数の貫通孔３が設けられている。この貫通孔３を設けることで、外耳道の欠損部位に埋入した際に骨芽細胞や血管などが貫通孔３内に進入して、骨形成性および周辺組織への生着性が良好となり、強固で安定した再建がなされるのである。貫通孔３の断面形状は任意であり、たとえば円形、楕円形、三角形、四角形など任意の形状とすることができる。しかし、細胞や血管等が貫通孔に進入して貫通孔の内壁に均一に付着することにより、骨形成などにおいてほぼ同心円状に層生長させることができるので、貫通孔の断面形状は円形であることが特に好ましい。
【００１４】
貫通孔３の孔径は、細胞、血管、骨などが十分に生成し、生長できる範囲であることが好ましく、使用条件に応じて適宜設定できる。具体的には、貫通孔の孔径は、１０〜１０００μｍであることが好ましく、特には細胞進入に適切な径である２００〜６００μｍの範囲がより好ましい。また、貫通孔の数は複数であることが必須であるが、一般に孔の数が多いほど接合効果は大きくなる傾向にあるので好ましい。また、貫通孔の断面形状あるいは孔径は揃っていてもよいし、異なったものが混在していてもよい。さらに、貫通孔の配置は規則的であっても、ランダムであってもよい。
【００１５】
再建部材に設ける貫通孔の数は再建部材の大きさによっても変化するが、単位面積あたりの貫通孔の数は多い方が好ましい。このとき、特定された孔径範囲からはずれた貫通孔が存在しても良いが、貫通孔の大部分が特定された孔径範囲に含まれることが好ましい。単位面積あたりの貫通孔の数が多ければ、孔内に入る血管、細胞の総数が多くなり、骨形成がより改良される傾向があり、また貫通孔の孔径が特定された範囲内にあることで各貫通孔における骨形成が良好になるからである。仮に開口面積が同等になるような孔径の大きな貫通孔をひとつだけ設けても、各貫通孔における骨形成が悪くなってしまううえ、貫通孔内部の総表面積が少なくなるため、表面に形成される骨量も減少し、良好な骨形成が得られなくなってしまうことが多い。以上の理由により、特定された孔径範囲に含まれる孔径の貫通孔が多数形成されていることが好ましい。
【００１６】
本発明による再建部材の主材であるセラミックスとしては、金属の酸化物、珪化物、窒化物、弗化物、硼化物など種々のものを用いることができる。これらのうち、いずれを用いてもよいが、骨補填材や細胞培養担体などに用いられているセラミックスが好ましい。例えば酸化アルミニウム、酸化ジルコニウム、リン酸カルシウムなどが挙げられ、このうち特にはリン酸カルシウム系セラミックが生体組織に近い特質を有することから好適である。より具体的には例えば第一リン酸カルシウム、メタリン酸カルシウム、第二リン酸カルシウム、ピロリン酸カルシウム、リン酸三カルシウム、リン酸四カルシウム、リン酸八カルシウム、ハイドロキシアパタイト、Ｃａ不足ハイドロキシアパタイトなどが挙げられる。そして、この中でリン酸三カルシウムが好適である。このリン酸三カルシウムにはα−リン酸三カルシウム（以下、α−ＴＣＰということがある）とβ−リン酸三カルシウム（以下、β−ＴＣＰということがある）があるが、炎症反応の防止の観点から、β−ＴＣＰの含有率が高いことが好ましく、特にβ−ＴＣＰの含有率が１００％であることが最も好ましい。セラミックスとしてβ−ＴＣＰを用いることにより、さらに生体親和性に特に優れ、自身も骨化すると共に異物反応の出現も生じにくいという効果がある。この結果、皮膚、骨部外耳道を含む側頭骨、軟骨部外耳道、皮下軟部組織、または粘膜という異なる組織との生着性が改善される。
【００１７】
本発明による再建部材において、セラミックス成形体は微小な空隙を含んでおり、その空隙の量が多いほど生体内での溶解性が高く、生体親和性も高い傾向にある。このため、空隙の量を示す気孔率は２％以上であることが好ましく、１０％以上であることがより好ましく、２０％以上であるとさらに好ましい。また、気孔率が低いほど緻密となり、機械的強度が高くなる傾向にある。このため、気孔率は４０％以下であることが好ましく、２５％以下であることがより好ましい。
【００１８】
ここで、セラミックス成形体の気孔率は、具体的にはアルキメデス法により測定することができる。本発明においては、セラミックス成形体の乾燥質量Ｗ１、水中質量Ｗ２、および飽水質量Ｗ３を測定し、下記の式により求めることができる。
気孔率（％）  ＝  （Ｗ３−Ｗ１）／（Ｗ３−Ｗ２）×１００
【００１９】
セラミックス成形体中の貫通孔内に骨芽細胞や血管などを進入させることを意図する場合、少なくともひとつの、好ましくはすべての貫通孔の内部に適切な充填材を配置させることでさらに良好な組織再建効果が期待される。このような充填材としては、高分子化合物や抗菌効果を有する血液などが挙げられる。ここで好ましい高分子化合物は親水性ポリマーからなる高分子ハイドロゲルであり、このような高分子化合物は骨芽細胞や血管の生長を促進させるという特徴を有している。好ましい高分子化合物としては、具体的にはポリビニルアルコール、カルボキシメチルセルロースナトリウムなどのセルロース誘導体、コラーゲン、ゼラチンなどのタンパク質およびその誘導体、アルギン酸、デンプン、デキストラン、プルランなどの多糖およびその誘導体、ヘパリン、ヒアルロン酸、コンドロイチン硫酸、ヘパラン硫酸などのグリコサミノグルカン、キチン、キトサンなどの多糖類、ムコ多糖類などが挙げられ、これらを単独もしくは組み合わせて用いることができる。また血液は、炎症を防御するという点で好ましい。また、この充填材に炎症などの治療薬を配合することも可能である。
【００２０】
図２は本発明の別の実施態様である再建部材の断面図である。図２における再建部材は充填材５により貫通孔内部が満たされており、さらに貫通孔の開口部がある二つの表面が皮膜４により被覆されたものである。このように生体組織に接触する表面に皮膜４を設けることにより、皮膚や骨部外耳道および軟骨部外耳道からなる外耳道、皮下軟部組織、粘膜あるいは鼓膜というそれぞれ異なる組織と生着しやすくすることができる。このような適切な皮膜の材質としては前記した充填材と同じものを挙げることができる。
【００２１】
なお、皮膜を配置する場合には、貫通孔３内にも充填材５が配置されていたほうがより好ましい。このとき充填材の材質は皮膜４と同じであっても、異なっていてもよい。また、皮膜は異なった材料を用いて２層以上に積層することもできる。
【００２２】
上記皮膜および／または充填材を用いる場合には、その材料中に、さらに骨形成因子を配合することが好ましい。骨形成因子により、細胞や骨などの生長にさらに好ましい効果を期待することができるためである。利用が可能な具体的な骨形成因子としては、たとえばＢＭＰ−２、ＢＭＰ−３、ＢＭＰ−４、ＢＭＰ−５、ＢＭＰ−６、ＢＭＰ−９、ＢＭＰ−１０、ＢＭＰ−１１、ＢＭＰ−１２、ＢＭＰ−１３、ＢＭＰ−１４、ＢＭＰ−１５、ＢＭＰ−３ｂ、ＯＰ−２、ＯＰ−３、ＤＰＰ、Ｖｇ−１、Ｖｇｒ−１、６０Ａプロテイン、ＧＤＦ−１、ＧＤＦ−２、ＧＤＦ−３、ＧＤＦ−５、ＧＤＦ−６、ＧＤＦ−７、ＧＤＦ−８、ＧＤＦ−９、ＧＤＦ−１０、ＧＤＦ−１１、ＦＧＦ、Ｍ−ＣＳＦ、ＩＬ−１０、ＩＬ−１２、ＩＬ−１７、ＩＬ−２１などが用いられる。なかでもＢＭＰが好ましく、特にはＢＭＰ−２が好適である。骨形成因子の配合量は、多いほうが骨形成促進効果が大きくなるので、皮膜および／または充填材に用いる材量の全質量に対し、一般に０．０００１質量％以上、好ましくは０．００１質量％以上、特に好ましくは０．０１質量％以上である。また、骨形成因子の配合量が少ないほうが骨形成促進効果に対するコストの点で有利となるので、一般に１質量％以下、好ましくは０．５質量％以下、特に好ましくは０．２質量％以下とされる。
【００２３】
図３は、本発明のさらに別の実施態様による再建部材を示すものある。この再建部材はその一端が折曲したＬ字型構造を有している。すなわち、直方体または板状の薄片の長手方向の一端が約９０°の角度で折り曲げられた形状となっている。このような形状は再建部材が埋入される部位の形状に対応して決定されることが好ましい。特に図３に示されるような構造を有する再建部材は、鼓膜と外耳道との結合部位に埋入し、両方を同時に治療するのに適したものである。折り曲げられた部分２Ａは、主に外耳道骨組織と連なった鼓膜に接合して鼓膜を保護または再建するためのものであり、特に鼓膜とその周辺組織との結合が弱い箇所においては好ましい効果をもたらす。このような折曲構造は平板面の組合せとして得ることもできるし、一体成型により得ることもできる。このような構造を有する再建部材において、折り曲げられた部分２Ａの折曲角度および装着向きは、欠損部の大きさや再建される骨組織と鼓膜との角度によって決められる。比較的正常に近い外耳道に施術する場合には、折り曲げられた部分２Ａの折曲部付近で鼓膜と接合することが多く、欠損量が多い場合は、反対の向きに装着し、折り曲げられた部分２Ａの先端部付近で鼓膜と接合することが多いと思われる。ここで、骨組織と鼓膜との角度は外耳道内の位置によって異なるため、その位置や欠損量にしたがって適宜設定する必要がある。従って、折り曲げられる角度は直角でなく、鋭角や鈍角であってもよい。また再建部材と鼓膜との接合を向上させるためには、前記した皮膜を設けておくことが好ましい。
【００２４】
また、必要に応じて、Ｔ字型構造や矩形構造とすることもできる。これらの構造は治療する部分にあわせて適宜採用することができる。さらには、これらの再建部材はあらかじめＬ字型などの必要な形状のものを埋入するだけでなく、例えば板状の再建部材をＬ字型に配置して埋入することによって、Ｌ字型構造を有する再建部材と同様の効果を得ることもできる。
【００２５】
本発明による再建部材の埋入状態は、例えば図４または５に示されるものである。ここでは、Ｌ字型構造を有する再建部材を用いた例を示すが、その他の構造を有する場合にもこれに準じて埋入することができる。
【００２６】
図４に示された例では、外耳道の欠損部分に対して再建部材の長手部分が接するように埋入されている。ここで、外耳道の欠損部に接しているのは、再建部材の貫通孔の開口部がある長い部分の面である。また、この例では再建部材の折曲部は鼓膜側に配置されるように埋入されている。一方、図５の例では折り曲げ部が図４とは反対側になるように埋入されている。これらの配置は、外耳道や鼓膜の欠損状態によって適当に調整される。なお、必要に応じて、外耳道または鼓膜のいずれか必要な側、すなわち長手部分と折曲部のいずれかだけに貫通孔が設けられていてもよい。
【００２７】
なお、図４および図５は、正常な状態の外耳道の構造に対する再建部材の埋入位置を示している。しかしながら実際に損傷を受けている外耳道または鼓膜の形状は様々であり、外耳道が閉塞していたり、いびつな形状となっていたりすることがある。したがって、このような場合に再建部材を用いる場合には、その状態に応じて適切に埋入位置が調整されるのが一般的である。
【００２８】
本発明による再建部材は任意の方法で製造することができるが、好ましい方法として、以下のような方法で製造することができる。
セラミックスを含む組成物を準備し、
前記組成物を用いて、成形加工により薄片状セラミックス素材を作製し、
前記薄片状セラミックス素材に、厚さ方向に伸びる複数の貫通孔を形成させ、
前記セラミックス素材を乾燥もしくは６００℃以上の温度で焼成する。
【００２９】
この方法をより具体的に説明すると以下の通りである。まずセラミックスなどの主材に必要に応じて樹脂などの結合材や水などの溶媒を加えた組成物を準備する。次いでその組成物を用いて、押出成形、射出成形、またはプレス成形などの成形加工により薄片状のセラミックス素材を作製し、このセラミックス素材の厚み方向にドリル等により適宜の数の貫通孔を形成させる。必要に応じて、貫通孔の形成の前または後に、外耳道等の形状に合わせて、薄片を湾曲させたり折り曲げたりする。得られたセラミックス素材を乾燥もしくは８００℃以上の温度で焼成することによって、セラミックス成形体としれ再建部材を得る。この後、必要に応じて貫通孔内及び／又はセラミックス成形体の表面に高分子化合物を含む皮膜を形成させることもできる。
【００３０】
ここで、セラミックス成形体を得るときの焼成温度は、前記した気孔率やセラミックス組成などと密接に関係している。通常、セラミックスの焼結が始まるのは６００℃ぐらいからといわれているが、焼成温度と気孔率とセラミックス組成とはある一定の関係を有しており、前記した好ましい気孔率の範囲から、本発明の外耳道再建部材を製造する場合には、セラミックス成形体を得るための焼成温度は８００〜２０００℃であることが好ましい。下限値を下回ると、表面に粉状の付着物が生成して、ハンドリングが悪くなる傾向があり、上限値を超えると、装置に貼着したりすることがあるので、好ましくない。また、セラミックスとしてリン酸三カルシウムを用いる場合、β−ＴＣＰの生成量が多く、α−ＴＣＰが全く生成しないか、生成しても少量となる焼成温度を選択することが好ましい。β−ＴＣＰの生成量からみて好ましい温度範囲は、８００〜１５００℃であり、１１５０〜１４００℃であるとより好ましい。
【００３１】
本発明を諸例を用いて説明すると以下のとおりである。なお、以下、特に断らない限り「部」は「質量部」を意味するものとする。
【００３２】
実施例１
主材としてβ−リン酸三カルシウム８０部と結合材であるポリビニルアルコール２０部とに水１００部を加え、混練後に押出成形して、長さ４．０ｍｍ、幅３．０ｍｍで、厚さ１．０ｍｍのセラミックス素材を作製した。このセラミックス素材にドリルで３００μｍの径を有する孔を厚み方向に２５個穿孔した。この素材を酸素雰囲気中において１１９０℃で焼成し、β−リン酸三カルシウムからなるセラミックス成形体とした。このセラミックス成形体の気孔率は２３％であった。
【００３３】
次に、高分子化合物として骨形成因子であるｒｈＢＭＰ−２が配合されたコラーゲンのゲル水溶液を調製し、このゲル液を前記セラミックス体の孔内に充填し、さらに同じゲル液を用いてセラミックス成形体の表面に皮膜を形成させて再建部材とした。
【００３４】
この再建部材をラットの外耳道の骨欠損部に埋設し、４週目に観察したところ、十分な骨形成がなされ、皮膚、皮下軟部組織、粘膜とも生着していた。また、異物反応や部材の排出なども認められなかった。
【００３５】
以上の通り、実施例１の再建部材は、生体親和性に優れ、また形態を維持するのに十分な強度を有し、取扱性が容易であるなど、きわめて良好なものであることが確認された。
【００３６】
実施例２
実施例１と同様の方法で貫通孔を設け、長さ方向の一方の端部を０．５ｍｍ分折曲したセラミックス素材を製造した。このセラミックス素材を実施例１と同様の工程で焼成し、ゲル液の充填、皮膜の形成を行って再建部材とした。この再建部材をラットの外耳道の鼓膜接合部にある骨欠損部に、鼓膜と外耳道との両方に接するように埋設し、４週目に観察したところ、実施例１と同様の特徴を有するとともに、折曲部が鼓膜に生着し、鼓膜の偏位は生じなかった。
【００３７】
実施例３
実施例１に対して、セラミックス成形体を製造する際の焼成温度を１３００℃に変更して、再建部材を製造した。この再建部材を実施例１と同様に評価したところ、ほとんどの貫通孔内で骨形成が認められ、十分な効果が認められた。しかし、実施例１に比較すると、問題ないレベルではあるが若干の炎症性細胞浸潤が認められた。
【００３８】
実施例４〜９
実施例１に対して、セラミックス成形体を製造する際の焼成温度を１１００℃（実施例４）、１１４０℃（実施例５）、１２５０℃（実施例７）、または１５００℃（実施例９）に変更したほかは実施例1と同様にして再建部材を製造した。
また、充填材および皮膜を伴わない例として、実施例１、３に対して、セラミックス成形体を製造する際の焼成温度は変えず｛１１９０℃（実施例６）、１３００℃（実施例８）｝、充填材および皮膜を伴わないほかは実施例1と同様にして再建部材を製造した。
これらの再建部材を実施例１と同様に評価した。
【００３９】
得られた評価結果は表1に示す通りであった。表1には、実施例１〜３の結果も併せて記載した。表中の「評価」の欄は、骨形成および生着性から総合的に判定された評価を示すものである。また、実施例４〜９の再建部材の破断面を電子顕微鏡により観察したところ、図６〜１１に示すとおりであった。また、実施例１〜３の再建部材に関しても同様に電子顕微鏡により観察したところ、実施例１および２は実施例６と、実施例３は実施例８と同様の構造であることが確認された。
【００４０】
【表１】
0005415238.tif 000002
【００４１】
いずれの実施例も、再建部材として機能しえるものであった。焼成温度を高くしていくと、気孔率が低くなっていき、セラミックス組成においてα−ＴＣＰの生成量が増えていくが、気孔率が低く、α−ＴＣＰの組成比率が高くなっていくと、埋入部分の炎症の程度が変化することがわかり、実施例１〜３、６〜８が炎症が少なく良好な結果を奏し、実施例１、２で最良となった。また、実施例１〜３、６〜８では骨形成が認められ、特に実施例１、２においては旺盛な骨形成が確認された。一方、再建部材としては機能しえるものの実施例９においては埋入物が溶けてしまう例の所見が見られた。
【００４２】
実施例１０
実施例１よりも少ない７個の貫通孔を放射状に設けたほかは、実施例１と同様にして実施例１０の再建部材を製造した。各貫通孔の孔径は実施例１と同じ３００μｍとした。この再建部材を実施例１と同様に評価したところ、骨形成が認められ、再建部材として十分機能することが確認された。しかし、再建部材の貫通孔の内側表面における骨形成は実施例１に比較して少なかった。これは貫通孔の数が少ないため、孔内に入る血管、細胞の総数が少なくなり、かつ孔の内部の総表面積が少なくなるためと推定される。
【００４３】
比較例１
実施例１に対して、複数の貫通孔に代えて孔径１０００μｍの貫通孔を１個設けた単穴構造としたほかは、実施例１と同様にして比較例１の再建部材を製造した。この再建部材を実施例１と同様に評価したところ、実施例１に比較すると骨形成の評価が良くない傾向となった。これは貫通孔の孔径が特定の範囲からはずれたために、貫通孔内部における骨形成性が悪く、また、貫通孔の数が少ないために内部の総表面積も少なくなるため、表面に形成される骨量の総量が減少するためと考えられる。
【００４４】
比較例２
コラーゲンを用いて比較例２の再建部材を製造して評価した。このような再建部材は、生体親和性が高い、骨組織に置換容易である、吸収が早い、骨の主成分（コラーゲン）と同様の蛋白であるため骨形成に有利に働く、などの長所を有するといわれている。しかし、比較例２の再建部材は従来から知られていた課題を有するものであった。具体的には、強度が低いために骨形成完了まで治療部位の機能がほとんど望めず、蛋白であるために変性等を考慮しなくてはならず、また形成が難しかった。
【産業上の利用可能性】
【００４５】
本発明による再建部材は、血管の形成や細胞の増殖を促進し、かつ皮膚や鼓膜、外耳道、皮下軟部組織、粘膜という異なる組織との優れた生着性を実現できるものであり、医療分野の要請に対して十分適用できるものである。
【符号の説明】
【００４６】
１  再建部材
２  セラミックス成形体
３  貫通孔
４  皮膜
５  充填材
２Ａ  セラミックス成形体の折曲部
４１  鼓膜
４２  外耳道
【図１】
0005415238.tif 000003
【図２】
0005415238.tif 000004
【図３】
0005415238.tif 000005
【図４】
0005415238.tif 000006
【図５】
0005415238.tif 000007
【図６】
0005415238.tif 000008
【図７】
0005415238.tif 000009
【図８】
0005415238.tif 000010
【図９】
0005415238.tif 000011
【図１０】
0005415238.tif 000012
【図１１】
0005415238.tif 000013